(57)【要約】 【課題】  本発明はスライドアジャスタが外観に一切現れないのでデザインの自由度が向上する上、帽子を被着した状態で容易にサイズ調節をすることが可能であり、かつ、通気性が改善された帽子を提供する。【手段】  本発明の帽子は、スライドアジャスタを備えた帽子であって、帽子を被着した状態において、前頭部に前記スライドアジャスタが接触するが帽体前部は接触しないことにより前頭部と前記帽体前部との間に隙間が形成され、バックルの押圧部が前記隙間のいずれかの位置において帽子の外側を向くようにバンドとバックルを頭周り部に固定したことを特徴とする。 【選択図】図１
2014088631.tif 000002
【特許請求の範囲】
【請求項１】
スライドアジャスタを備えた帽子であって、該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、帽子を被着した状態において、前頭部に前記スライドアジャスタが接触するが帽体前部は接触しないことにより前頭部と前記帽体前部との間に隙間が形成され、前記バックルの押圧部が前記隙間のいずれかの位置において帽子の外側を向くように前記バンドとバックルを頭周り部に固定したことを特徴とする帽子。
【請求項２】
前記天井枠を偏平な板で構成すると共に前記操作板の一端部に対向する天井枠が該操作板と反対方向水平に延伸してなり、前記バックルが前記天井枠を介して頭周り部に固定された請求項１記載の帽子。
【請求項３】
前記底板の長手方向の長さを天井枠の長手方向の長さよりも長くすると共に該底板にバンドのスライドをガイドするためのスライドガイドを設け、前記バックルが前記底板を介して頭周り部に固定された請求項１記載の帽子。
【請求項４】
前記押圧部が前記隙間の中間部に位置するように前記バックルを頭周り部に固定した請求項１〜３のいずれかに記載の帽子。
【請求項５】
前記押圧部の高さが前記天井枠と同じかそれよりも低く設定された請求項１〜４のいずれかに記載の帽子。
【請求項６】
前記バックルとバンドの外表面にバックルとバンドとを片手の指先で引き寄せることのできる掛止部を設けた請求項１〜５のいずれかに記載の帽子。
【請求項７】
前記頭周り部の前部下端に庇部を設け、前記頭周り部の前部は下端に向かうに従って帽子の外側方向に拡がる傾斜面で形成され、前記頭周り部の前部下端が前記庇部の一端両側部に接続されるが前記庇部の一端中央部には接続されないことにより前記庇部と頭周り部との間に空隙を設け、前記庇部の一端中央部が前記頭周り部の前部下端よりも帽子の内側に位置することを特徴とする請求項１〜６のいずれかに記載の帽子。
【発明の詳細な説明】
【技術分野】
【０００１】
この発明は、スライドアジャスタを備えると共に通気性も十分な帽子に関するものである。
【背景技術】
【０００２】
従来、通気性を有する帽子としては、帽体に通気孔を設けるもの、帽体の生地の一部または全部にメッシュ素材を用いるもの等が知られている。
帽体に通気孔を設ける方式は、直径１ｍｍ〜５ｍｍ程度の通気孔が帽体の適宜位置に数か所設けられるが、通気孔が小さいため清涼感を感じるのに十分な通気性を確保することはできなかった。また、帽体の生地の一部にメッシュ素材を用いた場合には、通気性を確保することはできるが、メッシュ素材を用いた部分において直接日光が当たるため、被着者は十分な清涼感を感じることができない。さらに、帽体に通気孔を設けたり、帽体の生地の一部にメッシュ素材を用いたりした場合は、外観上の体裁も良くない。
【０００３】
特許文献１には、クラウンの前面に通気部を形成してなる帽子において、クラウンの下端内周の前半部に、中央部分を袋状部となし、必要に応じて吸汗その他の温調具を収納できるようにした長さ調節ベルトを伸縮調節を自在とするように取り付けてなる帽子が記載されている。本考案によれば、長さ調節用のベルトの一端がクラウンの内周側端に縫着されるとともに他端はクラウンの他方の周側から外方へ突出させてアジャスターに接続されるが、アジャスターが帽子の外側に露出しているのでこの部分に身体や異物が当たることによりアジャスターが誤作動を起こしたり故障したりする虞がある他、外観の体裁も良くない。
【０００４】
特許文献２には、帽子の内側に空気を導入する入口開口部を冠部の前部でひさしの高さより上に有し、前記入口開口部の上側の縁から垂れ下がるバッフルまたはブレードを設け、前記冠部の後頭部部分に出口開口部を有する帽子が記載されている。本発明によれば、入口開口部から出口開口部に渡って前記バッフルまたはブレードによって生成される穏やかな乱流が帽子使用者の頭頂部を覆うことで冷却効果を生じる。しかしながら、前記バッフルまたはブレードにより帽子前方からの外気が遮られるため、帽子の被着者の頭部において最も冷気に敏感な部位である額に直接外気が接触することはない。
【先行技術文献】
【特許文献】
【０００５】
【特許文献１】実開昭５５−１００３１９号（実開昭５７−０２７４２７号）のマイクロフィルム
【特許文献２】特許第４５１６６８９号公報
【発明の概要】
【発明が解決しようとする課題】
【０００６】
本発明はスライドアジャスタが外観に一切現れないが、帽子を被着した状態で容易にサイズ調節をすることが可能であり、かつ、通気性が改善された帽子を提供する。
【課題を解決するための手段】
【０００７】
本発明の帽子は、スライドアジャスタを備えた帽子であって、該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、帽子を被着した状態において、前頭部に前記スライドアジャスタが接触するが帽体前部は接触しないことにより前頭部と前記帽体前部との間に隙間が形成され、前記バックルの押圧部が前記隙間のいずれかの位置において帽子の外側を向くように前記バンドとバックルを頭周り部に固定したことを特徴とする。
【０００８】
前記天井枠を偏平な板で構成すると共に前記操作板の一端部に対向する天井枠が該操作板と反対方向水平に延伸してなり、前記バックルが前記天井枠を介して頭周り部に固定されたことが好ましい。
前記底板の長手方向の長さを天井枠の長手方向の長さよりも長くすると共に該底板にバンドのスライドをガイドするためのスライドガイドを設け、前記バックルが前記底板を介して頭周り部に固定されたことが好ましい。
【０００９】
前記押圧部が前記隙間の中間部に位置するように前記バックルを頭周り部に固定したことが好ましい。
前記押圧部の高さが前記天井枠と同じかそれよりも低く設定されたことが好ましい。
前記バックルとバンドの外表面にバックルとバンドとを片手の指先で引き寄せることのできる掛止部を設けたことが好ましい。
【００１０】
前記頭周り部の前部下端に庇部を設け、前記頭周り部の前部は下端に向かうに従って帽子の外側方向に拡がる傾斜面で形成され、前記頭周り部の前部下端が前記庇部の一端両側部に接続されるが前記庇部の一端中央部には接続されないことにより前記庇部と頭周り部との間に空隙を設け、前記庇部の一端中央部が前記頭周り部の前部下端よりも帽子の内側に位置することが好ましい。
【発明の効果】
【００１１】
本発明に係る帽子は、帽体前部と額の間に隙間を確保することができるので、外気が前記隙間より導入されて被着者の額に直接触れるため、清涼感が改善される。また、スライドアジャスタは帽子の外観に一切現れないのでデザインの自由度が向上する。さらに、前記隙間に片手を差し込んでスライドアジャスタを操作することにより、帽子を被着した状態で容易にサイズ調節をすることができる。
【図面の簡単な説明】
【００１２】
【図１】本発明の帽子の内側に設けたスライドアジャスタを透視して描いた帽子を左前部上方から見た斜視図である。
【図２】バンドとバックルからなるスライドアジャスタの平面図（図２（１））およびそのｚ−ｚ切断線における縦断側面図（図２（２）、（３））である。
【図３】図１に示す帽子の被着状態を示す縦断側面図である。
【図４】図１に示す帽子の底面図である。
【図５】本発明の他の実施形態を示す帽子であって帽子の内側に設けたスライドアジャスタを透視して描いた帽子を左前部上方から見た斜視図である。
【図６】本発明の別の実施形態を示す帽子の被着状態を示す縦断側面図である。
【発明を実施するための形態】
【００１３】
以下、本発明に係るスライドアジャスタを備えた帽子の実施形態を図面に基づいて説明する。
図１（１）は、本発明の要部であるスライドアジャスタを透視して描いた帽子を左前部上方から見た斜視図であり、帽子を構成する帽体２、頭周り部３および庇部４が示されている。
【００１４】
帽子の内部に設けられるスライドアジャスタ８については図２を用いて後述するように、バンド１０とバックル２０とからなり、バンド１０とバックル２０は帽子を被着した状態において前頭部と帽体前部との間に隙間５が形成されるようにそれぞれ頭周り部３に固定される。また、バックル２０は係合解除用の押圧部３２が前記隙間５のいずれかの位置において帽体２の外側を向くように天井枠２２を介して頭周り部３に固定される。本実施形態では、押圧部３２が前記隙間５の中間部に位置するようにバックル２０が設置されている。
バンド１０とバックル２０の固定手段としては、通常、縫製によることが好ましいが、これに限らず、カシメ、両面テープを用いた固定手段を採用することもできる。
【００１５】
続いて、スライドアジャスタ８について図２を用いて説明する。
図２にはバンド１０とバックル２０からなるスライドアジャスタが示されており、図２（１）はその平面図、図２（２）は図２（１）のｚ−ｚ切断線における縦断側面図である。
【００１６】
これらの図において、所要の長さ、幅、厚みを有するバンド１０の外表面には、先端（バックル２０に近い部分）から末端にかけて鋸歯状の係合溝１２が形成されている。
【００１７】
バックル２０は、底板２１、これに対向する天井枠２２、および底板２１と天井枠２２とを接続する側板２３、２３とからなる偏平かつ筒状のバックル本体２４により主体が構成されている。バックル本体２４はバンド１０のスライド方向が挿通口として開口され、その内部はバンド１０の挿通空間２６となる。
【００１８】
バックル本体２４を構成する天井枠２２を偏平な板によって形成することにより、バックル２０を頭周り部３に取付け易くしている。これにより、手間とコストをかけることなく本発明に係る帽子を量産することができる。
図２において押圧部３２は片手の指先で押し易いように小円形に形成されているが、これに限らず角形状としても良い。また、押圧部３２の高さを天井枠２２と同じ高さとしたが、押圧部３２の高さに格別の制限はなく、押圧部３２の高さを天井枠２２よりも高く設定すれば後記する係合解除の操作が容易となる一方、押圧部３２の高さを天井枠２２よりも低く設定すれば不用意に係合が解除されるのを防ぐことができる。
【００１９】
図２において符号２２ａは、操作板３０の一端部と対向する天井枠２２であって、操作板３０と反対方向に水平に延伸して形成されている。天井枠２２を延伸することによってバックル３０の押圧部３２が帽子前部の隙間５の中間部に位置するようバックル３０を固定することが可能となる。押圧部３２の位置については、前記隙間５のいずれかの位置であれば格別の制限はないが、前記隙間５の中間部は隙間５が最も広い箇所であるため、この箇所に押圧部３２が位置するようバックルを固定すれば係合解除の操作が容易となる。また、前記隙間５の中間部に押圧部３２が位置すれば帽子を被着した状態で押圧部３２の位置を容易に認識することが可能となる。
また、天井枠２２ａによって、バックル２０は頭周り３の内側に確実に固定されると共に、バンド１０のスライド時にその前端部が天井枠２２ａの下面（底板２１との対向面）に沿って進入するので、スライドガイドや鞘としての役割も果たす。
天井枠２２ａの延伸長をバンド１０と同程度の長さとすれば、スライドガイドや鞘としての長さは十分である。
【００２０】
天井枠２２の内側には、その内に納まる大きさの操作板３０が水平に設置される。操作板３０の一端部下面には、バンド１０の係合溝１２に係合可能な係合爪３１を突設し、他端部の上面は係合解除用の押圧部３２となる。
【００２１】
操作板３０の長手方向の中間地点には、連結軸３５が形成され、この連結軸３５は両側板２３、２３の上部内壁に連結されている。連結軸３５の断面形状は、円形、楕円形、その他種々の形状とすることができる。連結軸３５は操作板３０を揺動自在に軸支すると共に、反復的な揺動により破損しない形状であれば差し支えない。なお、連結軸３５は両側板２３、２３に限らず、操作板３０と対向する天井枠２２の二辺に支承されていても、後述する作用と同じ作用を発揮することができる。
【００２２】
バンド１０とバックル２０は、可撓性を有する合成樹脂により成型することが好ましい。バンド１０を合成樹脂製とすることにより、バンド１０が天井枠２２ａの下面または頭周り部３の内側をスムーズにすべることが可能となる。
【００２３】
また、バックル２０は操作板３０を連結軸３５の周囲に揺動させる必要から、ポリアセタール、ポリオキシメチレン、ポリアミド、ポリカーボネートなどの弾性を有する合成樹脂により成型することが好ましい。このバックル２０は、僅かな部品により構成され、かつ、簡易な構造の故に、金型で容易に一体成型することができる。
【００２４】
次に、上記スライドアジャスタの作用を説明する。図２（２）は、バックル２０の挿通空間２６内にバンド１０が挿入され、バンド１０の外表面に形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
【００２５】
バンド１０を押圧部３２側（図２（２）において左側）からバックル本体２４の挿通空間２６内に進入させていくと、バンド１０の上面が操作板３０の係合爪３１に接触して、操作板３０の一端部（係合爪３１が形成された側）を押し上げながら前進し、バックル２０に対するバンド１０の接近・離隔位置が調節される。この状態では、図２（２）に示すように、係合爪３１が所定の係合溝１２と噛み合って係止しているので、バンド１０はバックル２０に対して進出自在であるが、後退不能である。
【００２６】
一方、バックル２０からバンド１０を後退させたり、引き抜いたりするには、操作板２０の押圧部３２を軽く指で押し下げれば、図２（３）に示すように、連結軸３５を中心として操作板３０が回転する結果、反対側に位置する係合爪３１が持ち上がり、係合爪３１が係合溝１２から外れるので、バンド１０を自由にスライドさせることができる。押圧部３２から指を離せば、押圧部３２は合成樹脂の弾性により元の水平状態に復帰する。
【００２７】
本発明において、スライドアジャスタ８は上記の構造を有するものに限らず、バンドに係合溝を設け、この溝にバックルのフックを弾性的に係合し、バンドに対して略垂直方向に作動するプッシュボタンにより随時、この係止状態を解放可能とするようなバックルとバンドとからなるスライドアジャスタであれば、いずれの構造のものでも良い。  
【００２８】
続いて、本発明に係る帽子の作用について図３および図４を用いて説明する。図３は図１に示す帽子の被着状態を示す縦断側面図である。図４は図１に示す帽子の底面図である。
帽子を被着した状態では、前頭部と帽体前部との間に隙間５が形成されるので、帽子前方からの外気Ｗは庇部４の下部に沿って、前記隙間５より帽子の内部に導入される。
【００２９】
本発明によれば、庇部４に沿って隙間５から帽子の内側に流入する大量の外気Ｗは、帽子の被着者の頭部において最も冷気に敏感な部位である額に直接接触するので、冷却効果が体感上極めて優れている。
【００３０】
帽子サイズを調整するには、帽子を被着した状態で前記隙間５に片手を差込み、頭周り部３の内側に露出したバンド２０およびバックル１０を片手の指先で引き寄せれば良い。この操作によって、帽子のサイズを小さくすることができるが、手を離してもスライドアジャスタ８の作用によって帽子のサイズが大きくなることはない。図４（１）は帽子のサイズを小さくした状態を示す底面図である。
本発明の帽子によれば、一方の手で帽体２を押さえながら他方の手でサイズを調整することができるので帽子を確実に頭部にフィットさせることができる。なお、図示しないが、前記バックル２０とバンド１０の外表面にバックル２０とバンド１０とを片手の指先で引き寄せることのできる掛止部を設ければサイズ調整はより容易となる。
【００３１】
帽子のサイズを大きくするには、帽子を被着した状態で隙間５に片手を差込み、スライドアジャスタ８の押圧部３２を指先等で押圧すれば良い。したがって、帽子の被着者は押圧部３２を指先等で押圧するのみで、容易に頭部にフィットした状態のスライドアジャスタを緩めることが可能である。図４（２）は帽子のサイズを大きくした状態を示す底面図である。
【００３２】
本発明の帽子は、スライドアジャスタが外観に一切現れないのでデザインの自由度が向上する。また、バンド１０が額に接触することから、帽子の被り心地、特にフィット感が良くなるという効果がある。
さらに、頭髪との接触部分も限定された領域となるので、当該帽子を被着しても頭髪の乱れを大幅に低減させることができる。
【００３３】
次に本発明の別の実施形態について図５を参照しながら説明する。図５は、本実施形態の帽子についてスライドアジャスタを透視して描いた帽子を左前部上方から見た斜視図である。
本実施形態では、底板２１の長手方向の長さを天井枠２２の長手方向の長さよりも長くし、押圧部３２が前記隙間５の端部に位置するようにバックル２０が固定されている。
底板２１には前記バンド１０のスライドをガイドするためのスライドガイド２１ａが設けられる。スライドガイド２１ａの形状に格別の制限はなく、バンド１０が底板２１に沿ってスライドすることをガイドできるものであれば良い。
【００３４】
続いて、本発明のさらに別の実施形態について図６を参照しながら説明する。図６は、この実施形態の帽子の被着状態を示す縦断側面図である。
本実施形態において庇部４は頭周り部３の前部下端に設けられ、頭周り部３の上端に帽体２が接続される。頭周り部３の前部３ａは下端に向かうに従って帽子の外側方向に拡がる傾斜面で形成される。これにより、後記する空隙から帽子の内側に日光が差し込んだり、異物が入り込んだりすることを防ぐことができる。頭周り部３の前部３ａの角度に格別の制限はなく、日差しや異物の侵入を有効に防ぐことのできる角度であれば良い。
【００３５】
頭周り部３の前部３ａ下端は庇部４の一端両側部４ａに接続されているが、庇部４の一端中央部４ｂには接続されていない。これにより、庇部４と頭周り部３との間に空隙６が設けられる。
本実施形態の帽子によれば、頭周り部３の上端に帽体２を接続するのみで頭周り部３の前部３ａと庇部４との間に空隙６を有する帽子を容易に製作することができる。頭周り部３の少なくとも前部３ａと庇部４とを、ポリエステル、ポリプロピレン、ポリエチレン、ポリカーボネート、ＡＢＳ樹脂などの合成樹脂を用いて一体成型すれば、帽子の前部に確実に空隙６を確保することができる。
【００３６】
庇部４の一端中央部４ｂは頭周り部３の前部３ａ下端よりも帽子の内側に位置するので、帽子前方からの外気Ｗは庇部４の上部に沿って、途中遮られることなく前記空隙６より帽子の内部に導入される。
本実施形態によれば、庇部４に沿って空隙６から帽子の内側に流入する大量の外気Ｗは、帽子の被着者の頭部において最も冷気に敏感な部位である額に直接接触することに加えて、頭周り部の前部３ａにより日差しＳが遮られるので、冷却効果が体感上極めて優れている。また、帽体内に貯留する蒸れた空気はこの外気流に同伴されて隙間５から帽体外部に排気される。
【産業上の利用可能性】
【００３７】
以上、スライドアジャスタを備える帽子に係る実施形態について説明したが、本発明に係る帽子は、キャップだけではなく、ハンチング、キャスケットなど、幅広く適用することができる。
【符号の説明】
【００３８】
２      帽体
３      頭周り部
４      庇部
５      隙間
８      スライドアジャスタ
１０    バンド
１２    係合溝
２０    バックル
２２    天井枠
２２ａ  延伸された天井枠
２４    バックル本体
３０    操作板
３１    係合爪
３２    押圧部
【図１】
2014088631.tif 000003
【図２】
2014088631.tif 000004
【図３】
2014088631.tif 000005
【図４】
2014088631.tif 000006
【図５】
2014088631.tif 000007
【図６】
2014088631.tif 000008